(57)【特許請求の範囲】
【請求項１】
複数の吸着ノズルを保持する装着ヘッドと、前記装着ヘッドを移動させるヘッド移動機構と、前記吸着ノズルに吸着した部品にフラックス、半田、導体ペースト、接着剤のいずれかの流動物を転写する転写装置とを備えた部品実装機において、
前記転写装置は、供給部から供給される流動物を溜める転写槽と、前記転写槽内の流動物を膜状に広げるスキージング動作を行うスキージと、前記転写槽を上下動させる上下動機構とを備え、
前記供給部は、前記転写槽を一括転写位置へ上昇させる際に該転写槽の上昇動作の邪魔にならない退避位置へ移動するように構成され、
前記複数の吸着ノズルに複数の部品を吸着した状態で前記ヘッド移動機構により前記装着ヘッドを前記転写槽の上方に移動させて前記上下動機構により前記転写槽を上昇させることで、前記複数の吸着ノズルに吸着した複数の部品に一括して前記流動物を転写する一括転写を行うことを特徴とする部品実装機。
【請求項２】
複数の吸着ノズルを保持する装着ヘッドと、前記装着ヘッドを移動させるヘッド移動機構と、前記吸着ノズルに吸着した部品にフラックス、半田、導体ペースト、接着剤のいずれかの流動物を転写する転写装置とを備えた部品実装機において、
前記転写装置は、供給部から供給される流動物を溜める転写槽と、前記転写槽内の流動物を膜状に広げるスキージング動作を行うスキージと、前記転写槽を上下動させる上下動機構と、前記スキージング動作を行う際に前記転写槽を回転させる回転駆動機構と、前記回転駆動機構と前記転写槽との間の回転伝達経路に設けられたクラッチ機構とを備え、前記クラッチ機構は、前記転写槽を一括転写位置へ上昇させる際に該転写槽を前記回転駆動機構から切り離す切断状態となり、該転写槽をスキージング動作位置へ下降させることで該クラッチ機構が前記回転駆動機構と前記転写槽との間を回転伝達可能に接続した接続状態となるように構成され、
前記複数の吸着ノズルに複数の部品を吸着した状態で前記ヘッド移動機構により前記装着ヘッドを前記転写槽の上方に移動させて前記上下動機構により前記転写槽を上昇させることで、前記複数の吸着ノズルに吸着した複数の部品に一括して前記流動物を転写する一括転写を行うことを特徴とする部品実装機。
【請求項３】
前記転写槽内の流動物の膜厚を調整する際に前記スキージの高さ位置を位置決めした状態で前記上下動機構により前記転写槽の高さ位置を調整することで前記スキージと前記転写槽との間の隙間寸法を調整して前記流動物の膜厚を調整するように構成されていることを特徴とする請求項１又は２に記載の部品実装機。
【請求項４】
前記装着ヘッドは、前記複数の吸着ノズルを円周方向に配列したロータリー型の装着ヘッドであり、前記装着ヘッドの複数の吸着ノズルを保持する複数のホルダ部のうち、一括転写動作時に上昇する前記スキージの上流位置のホルダ部から吸着ノズルを取り外して使用することを特徴とする請求項１乃至３のいずれかに記載の部品実装機。
【請求項５】
前記ヘッド移動機構に取り付ける装着ヘッドは、サイズの異なる別の装着ヘッドと交換可能であり、
前記転写装置に取り付ける前記転写槽及び前記スキージは、前記ヘッド移動機構に取り付けた装着ヘッドのサイズに応じたサイズの前記転写槽及び前記スキージと交換可能であることを特徴とする請求項１乃至４のいずれかに記載の部品実装機。
【請求項６】
前記転写装置を部品実装機の内側にセットしたセット位置と外側に引き出したメンテナンス位置との間を移動できるように構成されていることを特徴とする請求項１乃至５のいずれかに記載の部品実装機。
【請求項７】
複数の吸着ノズルを保持する装着ヘッドと、前記装着ヘッドを移動させるヘッド移動機構とを備えた部品実装機に着脱可能にセットされ、前記吸着ノズルに吸着した部品にフラックス、半田、導体ペースト、接着剤のいずれかの流動物を転写する転写装置において、  供給部から供給される流動物を溜める転写槽と、前記転写槽内の流動物を膜状に広げるスキージング動作を行うスキージと、前記転写槽を上下動させる上下動機構とを備え、
前記供給部は、前記転写槽を一括転写位置へ上昇させる際に該転写槽の上昇動作の邪魔にならない退避位置へ移動するように構成され、
前記部品実装機の複数の吸着ノズルに複数の部品を吸着した状態で前記ヘッド移動機構により前記装着ヘッドを前記転写槽の上方に移動させて前記上下動機構により前記転写槽を上昇させることで、前記複数の吸着ノズルに吸着した複数の部品に一括して前記流動物を転写する一括転写を行うことを特徴とする転写装置。
【請求項８】
複数の吸着ノズルを保持する装着ヘッドと、前記装着ヘッドを移動させるヘッド移動機構とを備えた部品実装機に着脱可能にセットされ、前記吸着ノズルに吸着した部品にフラックス、半田、導体ペースト、接着剤のいずれかの流動物を転写する転写装置において、 供給部から供給される流動物を溜める転写槽と、前記転写槽内の流動物を膜状に広げるスキージング動作を行うスキージと、前記転写槽を上下動させる上下動機構と、前記スキージング動作を行う際に前記転写槽を回転させる回転駆動機構と、前記回転駆動機構と前記転写槽との間の回転伝達経路に設けられたクラッチ機構とを備え、前記クラッチ機構は、前記転写槽を一括転写位置へ上昇させる際に該転写槽を前記回転駆動機構から切り離す切断状態となり、該転写槽をスキージング動作位置へ下降させることで該クラッチ機構が前記回転駆動機構と前記転写槽との間を回転伝達可能に接続した接続状態となるように構成され、
前記部品実装機の複数の吸着ノズルに複数の部品を吸着した状態で前記ヘッド移動機構により前記装着ヘッドを前記転写槽の上方に移動させて前記上下動機構により前記転写槽を上昇させることで、前記複数の吸着ノズルに吸着した複数の部品に一括して前記流動物を転写する一括転写を行うことを特徴とする転写装置。
【発明の詳細な説明】
【技術分野】
【０００１】
本発明は、部品実装機の吸着ノズルに吸着した部品にフラックス、半田等を転写する転写装置を備えた部品実装機及び転写装置に関する発明である。
【背景技術】
【０００２】
部品実装機においては、特許文献１（特開２００３−２９８２９１号公報）、特許文献２（特開２０１０−７４０２９号公報）に記載されているように、部品実装機に転写装置をセットして、吸着ノズルに吸着した部品を、転写槽内に溜めたフラックス、半田等に浸して該部品にフラックス、半田等を転写してから、該部品を回路基板に実装するようにしたものがある。
【先行技術文献】
【特許文献】
【０００３】
【特許文献１】特開２００３−２９８２９１号公報
【特許文献２】特開２０１０−７４０２９号公報
【発明の概要】
【発明が解決しようとする課題】
【０００４】
上記特許文献１，２の部品実装機は、１本の吸着ノズルに部品を吸着する毎に、該吸着ノズルを転写槽の上方に移動させて該吸着ノズル（又は転写槽）を上下動させて該吸着ノズルに吸着した部品に転写槽内のフラックス等を転写するようにしているため、１つの装着ヘッドに複数の吸着ノズルを保持した構成の部品実装機では、複数の吸着ノズルに吸着した複数の部品にフラックス等を転写する転写工程で、吸着ノズル（又は転写槽）の上下動作を吸着ノズルの本数分繰り返さなければならず、転写工程の時間が長くなってしまい、生産性が低下するという問題があった。
【０００５】
そこで、本発明が解決しようとする課題は、複数の吸着ノズルに吸着した複数の部品にフラックス等の流動物を転写するのに要する時間を大幅に短縮できて生産性を向上できる部品実装機及び転写装置を提供することである。
【課題を解決するための手段】
【０００６】
上記課題を解決するために、請求項１に係る発明は、複数の吸着ノズルを保持する装着ヘッドと、前記装着ヘッドを移動させるヘッド移動機構と、前記吸着ノズルに吸着した部品にフラックス、半田、導体ペースト、接着剤のいずれかの流動物を転写する転写装置とを備えた部品実装機において、前記転写装置は、供給部から供給される流動物を溜める転写槽と、前記転写槽内の流動物を膜状に広げるスキージング動作を行うスキージと、前記転写槽を上下動させる上下動機構とを備え、前記供給部は、前記転写槽を一括転写位置へ上昇させる際に該転写槽の上昇動作の邪魔にならない退避位置へ移動するように構成され、前記複数の吸着ノズルに複数の部品を吸着した状態で前記ヘッド移動機構により前記装着ヘッドを前記転写槽の上方に移動させて前記上下動機構により前記転写槽を上昇させることで、前記複数の吸着ノズルに吸着した複数の部品に一括して前記流動物を転写する一括転写を行うようにしたものである。この構成では、複数の吸着ノズルに吸着した複数の部品に対して転写槽を上昇させて一括して流動物を転写するため、複数の部品に流動物を転写するのに要する時間を大幅に短縮できて生産性を向上できる。
更に、本発明では、転写槽内に流動物を供給する供給部の吐出口側の部分が転写槽の上方に位置することを考慮して、転写槽を一括転写位置へ上昇させる際に該転写槽の上昇動作の邪魔にならない退避位置へ供給部を移動させるため、供給部が転写槽の上昇動作の邪魔になることはない。
【０００７】
この場合、請求項３のように、転写槽内の流動物の膜厚を調整する際にスキージの高さ位置を位置決めした状態で上下動機構により転写槽の高さ位置を調整することでスキージと転写槽との間の隙間寸法を調整して流動物の膜厚を調整するように構成しても良い。このようにすれば、転写槽を上下動させる上下動機構を利用して流動物の膜厚を調整することができ、膜厚調整作業を自動化することができる。
【０００９】
また、請求項２のように、転写装置は、スキージング動作を行う際に転写槽を回転させる回転駆動機構と、この回転駆動機構と転写槽との間の回転伝達経路に設けられたクラッチ機構とを備え、前記クラッチ機構は、転写槽を一括転写位置へ上昇させる際に該転写槽を前記回転駆動機構から切り離す切断状態となり、該転写槽をスキージング動作位置へ下降させることで該クラッチ機構が前記回転駆動機構と前記転写槽との間を回転伝達可能に接続した接続状態となるように構成しても良い。このようにすれば、転写槽を一括転写位置へ上昇させる際にクラッチ機構により転写槽を回転駆動機構から切り離して上昇させることができ、転写槽を上昇させる上下動機構に加わる荷重を軽減することができて、上下動機構のコンパクト化、軽量化、低コスト化等に貢献できる。
【００１０】
本発明は、複数の吸着ノズルを保持する装着ヘッドを備えた部品実装機であれば、どの様なタイプの装着ヘッドを備えた部品実装機であっても適用可能であるが、請求項４のように、複数の吸着ノズルを円周方向に配列したロータリー型の装着ヘッドを備えた部品実装機に適用する場合は、装着ヘッドの複数の吸着ノズルを保持する複数のホルダ部のうち、一括転写動作時に上昇するスキージの上流位置のホルダ部から吸着ノズルを取り外して使用するようにすれば良い。このようにすれば、吸着ノズルの本数が多いロータリー型の装着ヘッドで吸着ノズル間の間隔が狭い場合でも、転写槽内にスキージによる流動物の溜まりスペースを確保できる。
【００１１】
また、請求項５のように、部品実装機のヘッド移動機構に取り付ける装着ヘッドがサイズの異なる別の装着ヘッドと交換可能である場合は、転写装置に取り付ける転写槽及びスキージは、ヘッド移動機構に取り付けた装着ヘッドのサイズに応じたサイズの転写槽及びスキージと交換可能に構成すると良い。このようにすれば、どの様なサイズの装着ヘッドに交換されても対応できる。
【００１２】
更に、請求項６のように、転写装置を部品実装機の内側にセットしたセット位置と外側に引き出したメンテナンス位置との間を移動できるように構成すると良い。このようにすれば、転写装置を部品実装機の外側のメンテナンス位置に引き出すことで、転写装置のクリーニング作業等のメンテナンス作業を容易に行うことができる。
【００１３】
尚、請求項７，８に係る発明は、請求項１，２に記載の「部品実装機」の発明と実質的に同じ技術思想を「転写装置」の発明として記載したものである。
【図面の簡単な説明】
【００１４】
【図１】図１は本発明の一実施例を示す転写装置の斜視図である。
【図２】図２は部品実装機のフィーダ装着台の斜視図である。
【図３】図３は転写装置のスキージング動作時の状態を示す斜視図である。
【図４】図４は転写装置のスキージング動作時の状態を部分的に破断して示す正面図である。
【図５】図５は転写装置のスキージング動作時の主要部の状態を部分的に破断して示す正面図である。
【図６】図６は転写装置の一括転写動作時の状態を示す斜視図である。
【図７】図７は転写装置の一括転写時の状態を部分的に破断して示す正面図である。
【図８】図８は転写装置の一括転写時の主要部の状態を部分的に破断して示す正面図である。
【図９】図９は転写装置の一括転写動作時の状態を示す背面図である。
【図１０】図１０はクラッチ機構の係止ピンとその周辺部分の構成を示す斜視図である。
【図１１】図１１は一括転写動作時の主要部の状態を示す正面図である。
【図１２】図１２（ａ），（ｂ）は一括転写動作時のスキージと吸着ノズルとの位置関係を示す平面図である。
【発明を実施するための形態】
【００１５】
以下、本発明を実施するための形態を具体化した一実施例を図面を用いて説明する。
まず、転写装置１１の構成を説明する。
転写装置１１は、部品実装機のフィーダ装着台１２（図２参照）にテープフィーダ（図示せず）と付け替え可能に装着される。転写装置１１の横幅寸法は、テープフィーダの横幅寸法のほぼ整数倍となっており、フィーダ装着台１２上のテープフィーダ整数台分のスペースに転写装置１１が着脱可能にセットされる。
【００１６】
図１に示すように、転写装置１１の取付ベース１３は、部品実装機のフィーダ装着台１２への着脱方向である前後方向に長く延びる形状に形成されている。この取付ベース１３上に２本のスライドレール１４が前後方向に沿って平行に設けられ、該スライドレール１４上に転写装置１１が前後方向にスライド移動可能に支持されている。これにより、転写装置１１を部品実装機の内側にセットしたセット位置と外側に引き出したメンテナンス位置との間を移動できるように構成されている。
【００１７】
図３乃至図９に示すように、転写装置１１は、フラックス、半田、導体ペースト、接着剤のいずれかの流動物を溜める転写槽１５と、転写槽１５内に流動物を供給する供給部１６と、転写槽１５内の流動物を膜状に広げるスキージング動作を行うスキージ１７と、転写槽１５を上下動させる上下動機構１８（図９参照）と、スキージング動作を行う際に転写槽１５を回転させる回転駆動機構１９（図３参照）と、この回転駆動機構１９と転写槽１５との間の回転伝達経路に設けられたクラッチ機構２０と、これら各機構を組み付けた断面Ｌ字形の本体ベース２１等を備えた構成となっている。
【００１８】
本発明は、複数の吸着ノズルを保持する装着ヘッドを備えた部品実装機であれば、どの様なタイプの装着ヘッドを備えた部品実装機であっても適用可能であるが、本実施例では、複数本の吸着ノズル２２（図１２参照）を円周方向に等ピッチで配列したロータリー型の装着ヘッド２３（図１１参照）を備えた部品実装機に転写装置１１をセットしている。尚、図示はしないが、本実施例の部品実装機は、装着ヘッド２３をＸ−Ｙ方向に移動させるヘッド移動機構と、該装着ヘッド２３をその中心軸の回りに回転させるヘッド回転機構と、部品吸着時及び部品実装時に装着ヘッド２３に保持した複数本の吸着ノズル２２を１本ずつ個別に昇降させるノズル昇降機構とを備え、装着ヘッド２３の中心軸の下部には、吸着ノズル２２の側方からの照明光を反射するためのミラー部２４が吸着ノズル２２の配列の内側に位置するように設けられている。
【００１９】
転写装置１１の転写槽１５は、ロータリー型の装着ヘッド２３の吸着ノズル２２の配列に合わせてドーナツ形状（円環状）に形成され、中心部分に逃げ凹部２５が形成されている。これにより、転写槽１５を後述する一括転写位置へ上昇させたときに、各吸着ノズル２２に吸着した部品が転写槽１５のドーナツ形状の底面に接触又は近接して該転写槽１５内の流動物に浸った状態になるが、この際、装着ヘッド２３の中心のミラー部２４が転写槽１５の中心部分の逃げ凹部２５内に逃げて該ミラー部２４と該転写槽１５との衝突が回避されるようになっている。
【００２０】
次に、転写槽１５を上下動させる上下動機構１８の構成を説明する。
図９に示すように、上下動機構１８の駆動源となるＺ軸モータ２７は、回転軸２８を下向きにした状態で本体ベース２１側に固定され、このＺ軸モータ２７の回転力がベルト伝達機構２６を介してＺ軸用送りねじ２９に伝達され、Ｚ軸モータ２７の回転運動がＺ軸送りねじ２９によってＺ軸方向（上下方向）の直線運動に変換される。Ｚ軸送りねじ２９の近傍には、２本のＺ軸ガイド３０（図５、図１２参照）が本体ベース２１に固定され、各Ｚ軸ガイド３０にＺ軸スライド３１の支持部３１ａがＺ軸方向（上下方向）にスライド自在に嵌合され、該Ｚ軸スライド３１に転写槽１５が軸受３３を介して回転可能に支持されている。Ｚ軸スライド３１は、Ｚ軸送りねじ２９に螺合されたＺ軸ナット部材３２に連結され、Ｚ軸送りねじ２９の回転によってＺ軸ナット部材３２とＺ軸スライド３１と転写槽１５が一体的にＺ軸方向（上下方向）にスライドするようになっている。
【００２１】
図８に示すように、スキージ１７を支持する昇降シャフト３５は、支持部材３６によって上下動可能に支持され、該昇降シャフト３５がスプリング（図示せず）等のばね力によって下方に付勢されている。昇降シャフト３５の下方には、ストッパ３７が設けられ、転写槽１５をスキージング動作位置へ下降させる際に、その途中で昇降シャフト３５の下端がストッパ３７に突き当たってスキージ１７の下降が停止され、以後、転写槽１５のみが下降するようになっている。これにより、転写槽１５内の流動物の膜厚を調整する際に、スキージ１７の高さ位置（下限位置）をストッパ３７で位置決めした状態で、上下動機構１８により転写槽１５の高さ位置（停止位置）を調整することで、スキージ１７と転写槽１５との間の隙間寸法を調整して流動物の膜厚を調整できるようになっている。転写槽１５を一括転写位置へ上昇させる場合は、転写槽１５によってスキージ１７がスプリング（図示せず）の押し下げ力に抗して引き上げられる。
【００２２】
また、図１２（ａ）に示すように、装着ヘッド２３の複数の吸着ノズル２２を保持する複数のホルダ部のうち、一括転写動作時に上昇するスキージ１７の上流位置のホルダ部から該吸着ノズル２２を取り外して使用するようにしており、これにより、スキージ１７による流動物の溜まりスペースも確保できる。
【００２３】
また、転写槽１５内に流動物を供給する供給部１６の吐出口側の部分は、転写槽１５の上方に位置するため、供給部１６の位置が固定されていると、供給部１６が転写槽１５の上昇動作の邪魔になる。
【００２４】
そこで、本実施例では、供給部１６は、その下部に貫通された回動軸３９を支点にして図３〜図５に示す供給位置と図６〜図８に示す退避位置との間を回動できるように支持され、ねじりコイルばね（図示せず）等のばね力によって供給位置側へ回動付勢されている。この供給部１６のうちの転写槽１５側の端面部には、カム面４０が形成され、このカム面４０がＺ軸スライド３１に固定されたカムローラ４１に当接してカム機構４２が構成され、このカム面４０とカムローラ４１との当接状態がばね力によって維持されている。
【００２５】
転写槽１５がスキージング動作位置へ下降する過程で、転写槽１５と一体的にカムローラ４１が下降することで、カム機構４２により供給部１６が図３〜図５に示す供給位置へ回動して供給部１６の吐出口側の部分が転写槽１５の上方に突出した状態となり、一方、転写槽１５が一括転写位置へ上昇する過程で、転写槽１５側のカムローラ４１が上昇することで、カム機構４２により供給部１６が図６〜図８に示す退避位置へ回動して、供給部１６が転写槽１５の上昇動作の邪魔にならないようにしている。
【００２６】
供給部１６の吐出口側の部分には、転写槽１５内の流動物の残量を監視する光センサ等の残量検出センサ（図示せず）が取り付けられ、供給部１６が図３〜図５に示す供給位置に位置するときに、転写槽１５内の流動物の残量を残量検出センサで監視して、流動物の残量が所定値以下に減ってきたときに、自動的に転写槽１５内に流動物を補給するようになっている。尚、供給部１６に設けられた継手４３には、流動物貯留タンク（図示せず）につながるホース（図示せず）が接続され、該流動物貯留タンク内に貯留された流動物が該ホースを通して供給部１６に供給されるようになっている。
【００２７】
次に、スキージング動作を行う際に転写槽１５を回転させる回転駆動機構１９と、回転駆動機構１９と転写槽１５との間の回転伝達経路に設けられたクラッチ機構２０の構成を説明する。
【００２８】
図３に示すように、回転駆動機構１９の駆動源となるＱ軸モータ４６は、回転軸を下向きにした状態で本体ベース２１側に固定され、このＱ軸モータ４６の回転力が歯車機構４７を介してクラッチ機構２０の駆動歯車５０に伝達される。
【００２９】
図４、図７に示すように、クラッチ機構２０の駆動歯車５０は、本体ベース２１に上向きに設けられた支持軸５１に軸受５２を介して回転可能に嵌着されている。駆動歯車５０上には、カップリング部材５４が設けられ、このカップリング部材５４にＱ軸クラッチ凸部５５が連結されている。Ｑ軸クラッチ凸部５５は、Ｑ軸部５５ａの上端にテーパ状の雄コーン部５５ｂが形成された円錐クラッチ部品であり、Ｑ軸部５５ａがカップリング部材５４に上下動可能に挿通され、且つ、Ｑ軸部５５ａに貫通した係止ピン５６の両端部がカップリング部材５４の内周部に形成された縦溝５７に上下動可能に嵌合することによって、Ｑ軸部５５ａがカップリング部材５４に対して回り止めされると共に、Ｑ軸部５５ａの係止ピン５６の上下動範囲がカップリング部材５４内の縦溝５７の上下方向の幅によって規制されている。Ｑ軸クラッチ凸部５５は、スプリング５８等のばね力によって押し上げられている。
【００３０】
一方、転写槽１５の下面部には、Ｑ軸クラッチ凹部５９が下向きに固定され、このＱ軸クラッチ凹部５９の内周部にテーパ状の雌コーン部５９ａが形成されている。このＱ軸クラッチ凹部５９とＱ軸クラッチ凸部５５とによってクラッチ機構２０が構成され、転写槽１５をスキージング動作位置へ下降させることで、Ｑ軸クラッチ凹部５９がＱ軸クラッチ凸部５５に嵌合して押し付けられた状態がスプリング５８のばね力によって保持される。これにより、Ｑ軸クラッチ凹部５９とＱ軸クラッチ凸部５５との間が回転伝達可能に接続された状態となり、Ｑ軸モータ４６によって転写槽１５を回転駆動可能な状態となる。一方、転写槽１５を一括転写位置へ上昇させると、その過程で、転写槽１５下側のＱ軸クラッチ凹部５９がＱ軸クラッチ凸部５５から切り離されて上昇し、転写槽１５が回転駆動機構１９から切り離された状態となる。
【００３１】
また、本実施例では、部品実装機のヘッド移動機構に取り付ける装着ヘッド２３がサイズの異なる別の装着ヘッドと交換可能であることを考慮して、転写装置１１に取り付ける転写槽１５及びスキージ１７は、ヘッド移動機構に取り付けた装着ヘッド２３のサイズに応じたサイズの転写槽１５及びスキージ１７と交換可能に構成されている。
【００３２】
また、図１に示すように、転写装置１１の取付ベース１３の前端面（取付方向側の端面）には、転写装置１１の信号線や電源線を部品実装機のフィーダ装着台１２のコネクタ６１（図２参照）に接続するためのコネクタ６２と、２本の位置決めピン６３，６４が設けられ、２本の位置決めピン６３，６４を部品実装機のフィーダ装着台１２の位置決め穴６５，６６（図２参照）に差し込むことで、フィーダ装着台１２上で転写槽１５の取付位置が位置決めされると共に、転写装置１１のコネクタ６２がフィーダ装着台１２のコネクタ６１に差し込み接続される。これにより、転写装置１１の各電気部品（Ｚ軸モータ２７とＱ軸モータ４６等）に部品実装機の電源部から電源が供給され、部品実装機の制御装置（図示せず）によって転写装置１１の各機構を制御して一括転写動作とスキージング動作を実行できる状態となる。
【００３３】
以上説明した転写装置１１の使用方法を説明する。
転写槽１５内の流動物をスキージ１７で膜状に広げるスキージング動作を行う場合は、上下動機構１８のＺ軸モータ２７を起動して転写槽１５をスキージング動作位置へ下降させる。この転写槽１５の下降動作の途中で昇降シャフト３５の下端がストッパ３７に突き当たってスキージ１７の下降が停止され、以後、転写槽１５のみが下降することで、スキージ１７と転写槽１５との間に隙間が出来る。この隙間で流動物の膜厚が決まるため、流動物の膜厚を調整する場合は、上下動機構１８により転写槽１５の高さ位置（停止位置）を調整することで、スキージ１７と転写槽１５との間の隙間寸法を調整して流動物の膜厚を調整する。
【００３４】
転写槽１５がスキージング動作位置へ下降する過程で、転写槽１５と一体的にカムローラ４１が下降することで、カム機構４２により供給部１６が図３〜図５に示す供給位置へ回動して供給部１６の吐出口側の部分が転写槽１５の上方に突出した状態となると共に、クラッチ機構２０のＱ軸クラッチ凹部５９がＱ軸クラッチ凸部５５に嵌合して両者が回転伝達可能に接続された状態となる。
【００３５】
この状態で、供給部１６の吐出口から転写槽１５内に流動物を吐出しながら、回転駆動機構１９のＱ軸モータ４６を回転させて転写槽１５を回転させることで、転写槽１５内の流動物をスキージ１７で膜状に広げる。このスキージング動作終了後に、Ｑ軸モータ４６を停止させて転写槽１５の回転を停止させる。
【００３６】
吸着ノズル２２に吸着した部品に流動物を転写する場合は、予め、装着ヘッド２３の複数の吸着ノズル２２にそれぞれ部品を吸着した後、部品実装機のヘッド移動機構により装着ヘッド２３を転写槽１５の上方に移動させる。この後、上下動機構１８のＺ軸モータ２７をスキージング動作時とは逆方向に回転させて転写槽１５を一括転写位置へ上昇させる。この際、転写槽１５下側のＱ軸クラッチ凹部５９がＱ軸クラッチ凸部５５から切り離されて上昇し、転写槽１５が回転駆動機構１９から切り離された状態となる。
【００３７】
転写槽１５が一括転写位置へ上昇する過程で、転写槽１５と一体的にカムローラ４１が上昇することで、カム機構４２により供給部１６が図５〜図７に示す退避位置へ回動して、供給部１６が転写槽１５の上昇動作の邪魔にならない状態となる。
【００３８】
転写槽１５が一括転写位置へ上昇すると、装着ヘッド２３の複数の吸着ノズル２２に吸着した複数の部品を同時に転写槽１５内の流動物に浸して、複数の吸着ノズル２２に吸着した複数の部品に一括して流動物を転写する。
【００３９】
以上説明した本実施例では、複数の吸着ノズル２２に吸着した複数の部品に対して転写槽１５を上昇させて一括して流動物を転写するように構成しているため、複数の部品にフラックス等を転写するのに要する時間を大幅に短縮できて生産性を向上できる。
【００４０】
しかも、本実施例では、転写槽１５内の流動物の膜厚を調整する際に、スキージ１７の高さ位置をストッパ３７で位置決めした状態で上下動機構１８により転写槽１５の高さ位置を調整することで、スキージ１７と転写槽１５との間の隙間寸法を調整して流動物の膜厚を調整するようにしたので、転写槽１５を上下動させる上下動機構１８を利用して流動物の膜厚を調整することができ、膜厚調整作業を自動化することができる。
【００４１】
また、本実施例では、転写槽１５を一括転写位置へ上昇させる際に、クラッチ機構２０により転写槽１５を回転駆動機構１９から切り離して上昇させることができ、転写槽１５を上昇させる上下動機構１８に加わる荷重を軽減することができて、上下動機構１８のコンパクト化、軽量化、低コスト化等に貢献できる。
【００４２】
また、本実施例では、転写装置１１を部品実装機の内側にセットしたセット位置と外側に引き出したメンテナンス位置との間を移動できるように構成したので、転写装置１１を部品実装機の外側のメンテナンス位置に引き出すことで、転写装置１１のクリーニング作業等のメンテナンス作業を容易に行うことができる。
【００４３】
尚、本実施例では、スキージング動作時にスキージ１７を固定して転写槽１５を回転させるようにしたが、転写槽を固定してスキージを移動させるようにしても良い。
【００４４】
その他、本発明は、上下動機構１８、回転駆動機構１９、クラッチ機構２０等の構成を変更しても良い等、要旨を逸脱しない範囲内で種々変更して実施できる。
【符号の説明】
【００４５】
１１…転写装置、１２…フィーダ装着台、１３…取付ベース、１５…転写槽、１６…供給部、１７…スキージ、１８…上下動機構、１９…回転駆動機構、２０…クラッチ機構、２１…本体ベース、２２…吸着ノズル、２３…装着ヘッド、２７…Ｚ軸モータ、２９…Ｚ軸用送りねじ、３１…Ｚ軸スライド、４０…カム面、４１…カムローラ、４２…カム機構、４６…Ｑ軸モータ、４７…歯車機構、５５…Ｑ軸クラッチ凸部、５６…係止ピン、５９…Ｑ軸クラッチ凹部、６１，６２…コネクタ、６３，６４…位置決めピン、４６，６６…位置決め穴
【図１】
0005967753.tif 000002
【図２】
0005967753.tif 000003
【図３】
0005967753.tif 000004
【図４】
0005967753.tif 000005
【図５】
0005967753.tif 000006
【図６】
0005967753.tif 000007
【図７】
0005967753.tif 000008
【図８】
0005967753.tif 000009
【図９】
0005967753.tif 000010
【図１０】
0005967753.tif 000011
【図１１】
0005967753.tif 000012
【図１２】
0005967753.tif 000013